(57)【特許請求の範囲】
【請求項１】
空気調和機本体が熱交換器及び送風機を備え、熱交換器に対向する空気調和機本体の前面及び天面に吸込口を有し、この吸込口に吸込フィルタを備えた空気調和装置において、
前記吸込フィルタの全幅に延在して該吸込フィルタに付着した塵埃を捕集する横長の掃除用ブラシユニットと、前記ブラシユニットを前記空気調和機本体の前面と天面間で上下に駆動する駆動機構と、前記空気調和機本体の待機位置に当該ブラシユニットが至った時、該待機位置で当該ブラシユニット内の塵埃を吸い込んで集塵する集塵ユニットと、前記待機位置の前記ブラシユニット側に出没自在に付勢され、前記待機位置に移動した前記ブラシユニットのブラシが押し退けて前記ブラシユニットのブラシが露出する開口を閉塞する閉塞部とを備えたことを特徴とする空気調和装置。
【請求項２】
前記駆動機構が、前記吸込フィルタの両側に配置されて前記空気調和機本体の前面と天面間に渡って延在するラックと、前記ブラシユニットに配置されて前記ラックと噛み合うピニオンと、前記ピニオンを回転駆動するピニオン駆動用モータとを備えることを特徴とする請求項１に記載の空気調和装置。
【請求項３】
前記ブラシユニットのブラシを、減速車を介して前記ピニオン駆動用モータで回転駆動させたことを特徴とする請求項２に記載の空気調和装置。
【請求項４】
前記駆動機構が、前記吸込フィルタの両側に配置されて前記空気調和機本体の前面と天面間に無端状に架け渡されたタイミングベルトと、前記タイミングベルトを駆動するベルト駆動用モータとを備え、前記ブラシユニットのブラシを回転駆動するブラシ駆動用モータを備えたことを特徴とする請求項１に記載の空気調和装置。
【請求項５】
前記タイミングベルトが、前記空気調和機本体の前面から天面に沿って延出してベルト駆動される前記ブラシユニットのブラシを前記前面から天面に渡って押し付け可能にするガイド部材にガイドされることを特徴とする請求項４に記載の空気調和装置。
【請求項６】
前記ベルト駆動用モータが、前記空気調和機本体の前面と天面との間のコーナ部の内側に配置され、前記タイミングベルトを前記コーナ部で空気調和機本体内側に引き込んで前記ベルト駆動用モータで駆動される駆動車に掛け回したことを特徴とする請求項４又は５に記載の空気調和装置。
【請求項７】
前記閉塞部が付勢手段で付勢されて前記ブラシユニットの摺動面から常時突出し、該閉塞部を付勢手段に抗して押し退けて前記ブラシユニットが待機位置に至る動作を行うことを特徴とする請求項１乃至６のいずれか一項に記載の空気調和装置。
【請求項８】
前記ブラシユニットが前記待機位置に至った時、当該ブラシユニット内の塵埃を集塵可能に当該ブラシユニットと前記集塵ユニットとを連結する連結機構を備えたことを特徴とする請求項１乃至７のいずれか一項に記載の空気調和装置。
【発明の詳細な説明】
【技術分野】
【０００１】
本発明は、空気調和機本体が熱交換器及び送風機を備え、熱交換器に対向する空気調和機本体の前面及び天面に吸込口を有し、この吸込口に吸込フィルタを備えた空気調和装置に関し、特に、吸込フィルタに付着した塵埃を自動的に除去する空気調和装置に関する。
【背景技術】
【０００２】
空気調和装置には、吸込フィルタに付着した塵埃を除去して室外に排出し、或いは所定の場所に集めることによって吸込フィルタに付着した塵埃を自動的に除去するフィルタ掃除機構を具備するものがある。
例えば、この種のフィルタ掃除機構は、空気調和機の上部に固定ダクト、フィルタの空気流入側面に近接した可動ノズルをフィルタに沿って往復動させる駆動装置を備え、可動ノズルと固定ダクトが連通状態を維持しつつ可動ノズルの上端が固定ダクトに対して左右方向にスライド可能に連結され、固定ダクトに接続した空気排出部には吸い込みファンと集塵ボックスを設け、集塵ボックスが空気調和装置の下面側から着脱自在のものがある（例えば、特許文献１参照）。
【特許文献１】特開２００７−１７０７８９号公報
【発明の開示】
【発明が解決しようとする課題】
【０００３】
従来の空気調和装置は、広い吸込エリアを確保するために前面及び天面に吸込口を形成しており、かかる吸込口に設けられた吸込フィルタの塵埃を効率よく集塵することが求められる。しかし、ブラシで吸込フィルタを掃除中に吸込を行うタイプは、ブラシによる掃除と吸引とを同時に行うため、大きな吸引力が必要になり、また、吸引時間が長くなって動作音が比較的大きい時間が長くなってしまう。
【０００４】
本発明は、上述した事情に鑑みてなされたものであり、吸込フィルタから除去した塵埃を効率よく集塵可能な空気調和装置を提供することにある。
【課題を解決するための手段】
【０００５】
上述した課題を解決するため、本発明は、空気調和機本体が熱交換器及び送風機を備え、熱交換器に対向する空気調和機本体の前面及び天面に吸込口を有し、この吸込口に吸込フィルタを備えた空気調和装置において、前記吸込フィルタの全幅に延在して該吸込フィルタに付着した塵埃を捕集する横長の掃除用ブラシユニットと、前記ブラシユニットを前記空気調和機本体の前面と天面間で上下に駆動する駆動機構と、前記空気調和機本体の待機位置に当該ブラシユニットが至った時、該待機位置で当該ブラシユニット内の塵埃を吸い込んで集塵する集塵ユニットと、前記待機位置の前記ブラシユニット側に出没自在に付勢され、前記待機位置に移動した前記ブラシユニットのブラシが押し退けて前記ブラシユニットのブラシが露出する開口を閉塞する閉塞部とを備えたことを特徴とする。
【０００６】
上記構成において、前記駆動機構が、前記吸込フィルタの両側に配置されて前記空気調和機本体の前面と天面間に渡って延在するラックと、前記ブラシユニットに配置されて前記ラックと噛み合うピニオンと、前記ピニオンを回転駆動するピニオン駆動用モータとを備えることが好ましい。
【０００７】
上記構成において、前記ブラシユニットのブラシを、減速車を介して前記ピニオン駆動用モータで回転駆動させることが好ましい。また、上記構成において、前記駆動機構が、前記吸込フィルタの両側に配置されて前記空気調和機本体の前面と天面間に無端状に架け渡されたタイミングベルトと、前記タイミングベルトを駆動するベルト駆動用モータとを備え、前記ブラシユニットのブラシを回転駆動するブラシ駆動用モータを備えることが好ましい。
【０００８】
また、上記構成において、前記タイミングベルトが、前記空気調和機本体の前面から天面に沿って延出してベルト駆動される前記ブラシユニットのブラシを前記前面から天面に渡って押し付け可能にするガイド部材にガイドされることが好ましい。
【０００９】
また、上記構成において、前記ベルト駆動用モータが、前記空気調和機本体の前面と天面との間のコーナ部の内側に配置され、前記タイミングベルトを前記コーナ部で空気調和機本体内側に引き込んで前記ベルト駆動用モータで駆動される駆動車に掛け回すことが好ましい。
【００１０】
また、上記構成において、前記閉塞部が付勢手段で付勢されて前記ブラシユニットの摺動面から常時突出し、該閉塞部を付勢手段に抗して押し退けて前記ブラシユニットが待機位置に至る動作を行うことが好ましい。
【００１１】
また、上記構成において、前記ブラシユニットが前記待機位置に至った時、当該ブラシユニット内の塵埃を集塵可能に当該ブラシユニットと前記集塵ユニットとを連結する連結機構を備えることが好ましい。
【発明の効果】
【００１２】
本発明は、吸込フィルタの全幅に延在して該吸込フィルタに付着した塵埃を捕集する横長の掃除用ブラシユニットと、ブラシユニットを空気調和機本体の前面と天面間で上下に駆動する駆動機構と、空気調和機本体の待機位置に当該ブラシユニットが至った時、該待機位置で当該ブラシユニット内の塵埃を集塵する集塵ユニットと、空気調和機本体の待機位置に配置され、集塵ユニットの動作時にブラシユニットのブラシが露出する開口を閉塞する閉塞部とを備えたので、集塵ユニットの動作時にブラシユニットのブラシが露出する開口を閉塞して塵埃を効率よく集塵することができる。
【発明を実施するための最良の形態】
【００１３】
以下、図面を参照して本発明の実施形態を詳述する。
＜第１実施形態＞
図１は第１実施形態に係る壁掛け型空気調和装置の正面図を示し、図２はその斜視図を示し、図３はその内部構成を示す側断面図を示している。以下、前後及び上下左右といった方向は、空気調和装置１を壁掛け設置した状態でその前面側から見た方向を示す。
空気調和装置１は、図１及び図２に示すように、横長のボックス形状に形成された空気調和機本体１０と、空気調和機本体１０の前面側に配置された前面パネル（不図示）とを備えている。空気調和機本体１０は、図３に示すように、前面１１ａ及び天面１１ｂを構成する前ケース１１と、背面を構成する後ケース１２とを備え、この前ケース１１と後ケース１２との間に、前側熱交換器１３ａと後側熱交換器１３ｂとで略逆Ｖ字状に形成される熱交換器１３と、この熱交換器１３の間に位置する送風機１４とが配置され、この送風機１４の下方、つまり、空気調和機本体１０の下方に吹出口１５が設けられている。
【００１４】
前ケース１１は、図３に示すように、前面１１ａと天面１１ｂとの間のコーナ部１１ｃが略円弧に沿ったなめらかな曲面とされ、この前面１１ａから天面１１ｂに渡って延びて空気調和機本体１０を覆う連続曲面（以下、空気調和機本体覆い面）２０には、熱交換器１３に対向する前面１１ａ及び天面１１ｂに渡って延びる左右一対の吸込口２１（図２参照）が設けられている。
図２に示すように、前ケース１１の吸込口２１には、空気中の塵埃を補足可能な左右一対の吸込フィルタ２２が配置されており、より具体的には、この吸込フィルタ２２は、全体が空気調和機本体覆い面２０に沿って屈曲しており、そのフィルタ枠が前ケース１１の吸込口２１周囲に設けられた図示せぬ段差に嵌った状態でねじ止めされることによって、吸込フィルタ２２が前面１１ａ、コーナ部１１ｃ及び天面１１ｂと略同じ平面内に納まった状態で固定される。
【００１５】
送風機１４は、空気調和機本体１０の一端側に配置されたファンモータ（不図示）と、ファンモータの回転軸に連結された軸流ファン（不図示）とを備え、この送風機１４の駆動により、室内空気が前ケース１１の吸込口２１から吸い込まれ、ここで吸込フィルタ２２によって空気中の塵埃が除去された後に熱交換器１３を通過し、ここで熱交換した空気が、送風機１４の下流に設けた吹出口１５から室内に吹き出される。吹出口１５には、２枚のフラップ１６ａ、１６ｂが設けられ、各フラップ１６ａ、１６ｂの回動姿勢によって吹出口１５が開閉されると共に空気の吹き出し方向が設定される。
このようにして室内空気が吸込口２１を通る際、この室内空気中の塵埃が吸込フィルタ２２に補足されるので、清浄空気だけが吸込フィルタ２２を通過し、塵埃が吸込フィルタ２２の表面（空気上流側の面）に付着することになる。
【００１６】
本実施の形態では、この吸込フィルタ２２に付着した塵埃を自動的に除去（掃除）する掃除機構が設けられており、この掃除機構は、図２に示すように、吸込フィルタ２２の全幅に渡って延在する横長の掃除用ブラシユニット（以下、ブラシユニットという）３０と、このブラシユニット３０を空気調和機本体１０の前面１１ａと天面１１ｂ間で上下に駆動する後述するギア式の駆動機構４０と、ブラシユニット３０内の塵埃を集塵する後述する集塵ユニット５０とを備えている。ここで、図３はブラシユニット３０が待機位置にある状態を示しており、図４はブラシユニット３０が待機位置から上方に移動した状態を示す図である。なお、待機位置は、前面１１ａ下部、より具体的には、前面１１ａの吸込フィルタ２２と吹出口１５との間である。
【００１７】
図５はギア駆動式の駆動機構４０を周辺構成と共に示す側断面図である。
この駆動機構４０は、空気調和機本体１０の吸込フィルタ２２両側に配置される左右一対のラック４１と、ブラシユニット３０の両側に設けられてラック４１上を移動自在な左右一対の駆動部４２とを備えている。ラック４１は、空気調和機本体覆い面２０に沿って前面１１ａと天面１１ｂ間に渡って延在し、駆動部４２は、ラック４１に噛み合うピニオン４３と、ピニオン駆動用モータ４４と、ピニオン４３とピニオン駆動用モータ４４との間に配置される変速車４５とを収容しており、このラック４１上をピニオン４３が回転することによって、ブラシユニット３０を、吸込フィルタ２２よりも下方の待機位置（図１参照）から、吸込フィルタ２２の上縁まで移動させる。なお、図示は省略するが、ラック４１には、このラック４１に沿って移動自在な案内部材が配設されており、この案内部材が駆動部４２に連結されることによってピニオン４３がラック４１に押し付けられて噛み合う状態に保持される。
【００１８】
上記変速車４５は、側面視でピニオン駆動用モータ４４の前方に配置されており、ピニオン駆動用モータ４４の回転数を減速してこの変速車４５の上方に配置されたピニオン４３にモータ４４の動力を伝達し、ブラシユニット３０と一体的に連結された左右の駆動部４２をラック４１に沿って所定の移動速度で移動させる。
また、この変速車４５は、ブラシユニット３０の一部を構成する後述する回転ブラシ３１（図３参照）の軸３１ａに設けられており、すなわち、この変速車４５は、ピニオン駆動用モータ４４の回転数を回転ブラシ３１用の回転数まで減速させる減速車としても機能する。このため、一つのモータ４４でブラシユニット３０の上下駆動と回転ブラシ３１の回転駆動とを行うことができ、掃除機構に必要なモータ数を少なくすることができる。
【００１９】
ブラシユニット３０は、空気調和機本体１０の幅方向に延在するユニットケース（図１及び図２参照）３２を備え、このユニットケース３２は、図３に示すように、前面側に開口する略凹断面形状のケース本体３３と、このケース本体３３の前面側開口を閉塞するケース蓋３４とを備えて構成される。
図６はケース蓋３４を取り外した空気調和機本体１０の正面図であり、図７はブラシユニット３０を取り外した空気調和機本体１０の正面図である。また、図８は待機位置にあるブラシユニット３０を周辺構成と共に示す側断面図であり、図９はブラシユニット３０が待機位置にない場合の側断面図である。
ケース本体３３内には、図６に示すように、吸込フィルタ２２の全幅に渡って延在する回転ブラシ３１が回転自在に収容され、この回転ブラシ３１の下方に、回転ブラシ３１により捕集された塵埃が収容される塵埃収容室３５（図８参照）が形成される。
【００２０】
より具体的には、回転ブラシ３１は、左右の吸込フィルタ２２の各々に対応する左右一対のブラシ部３１ｂ（図６参照）を有し、このブラシ部３１ｂは、植毛された紐状部材を螺旋状に巻いて形成されており、ケース本体３３には、図８に示すように、回転ブラシ３１を空気調和機本体覆い面２０側に露出させるブラシ用開口３３ａが形成されている。
また、ケース本体３３には、回転ブラシ３１下方に回転ブラシ３１の全幅に渡って延在する塵埃剥離板（塵埃剥離部材）３６が取り付けられており、この塵埃剥離板３６は、その上端を屈曲して回転ブラシ３１に接触する爪部３６ａを有し、この爪部３６ａは、図１０に示すように、回転ブラシ３１の外周面に略沿う方向に屈曲し、回転ブラシ３１が回転した場合に、回転ブラシ３１に付着した粉塵を剥離して塵埃収容室３５に収容させる。
上記ケース蓋３４は、アクリル材等の透明部材で形成され、ユニットケース３２内の回転ブラシ３１の状態及びケース３２内に溜まった塵埃の量を外部から容易に確認可能にする。
【００２１】
ここで、ブラシユニット３０が待機位置にある場合、図８に示すように、ユニットケース３２のブラシ用開口３３ａは空気調和機本体１０に設けられた閉塞機構３８によって閉塞される。この閉塞機構３８は、前ケース１１の下方に形成された開口１１ｇから待機位置のブラシユニット３０側に出没自在な閉塞カバー（閉塞部）３８ａと、閉塞カバー３８ａをブラシユニット３０側に付勢する付勢部材３８ｂとを備え、閉塞カバー３８ａは、図７に示すように回転ブラシ３１の全幅に渡って延在し、その上下コーナ部が曲面に形成されている。このため、ブラシユニット３０が待機位置にない場合は、図９に示すように、閉塞カバー３８ａが、ブラシユニット３０の摺動面Ｌから外側に常時突出し、ブラシユニット３０が待機位置に移動すると、図８に示すように、ブラシユニット３０が閉塞カバー３８ａを付勢部材３８ｂに抗して押し退けてユニットケース３２のブラシ用開口３３ａを閉塞する。
【００２２】
本実施の形態では、ブラシユニット３０を駆動機構４０によって前面１１ａから天面１１ｂに渡って空気調和機本体覆い面２０を摺動させ、このときに回転ブラシ３１により吸込フィルタ２２に付着した塵埃を塵埃収容室３５内に捕集してブラシユニット３０を待機位置に戻す。この際に上記閉塞機構３８によってブラシユニット３０のブラシ用開口３３ａを閉塞した状態で、集塵ユニット５０により塵埃収容室３５内の塵埃を吸い込むようにしている。以下、集塵ユニット５０をその周辺構成と共に詳述する。
【００２３】
図８に示すように、ブラシユニット３０の一端には、ユニットケース３２内から下方に延びるユニット固定配管６１が設けられており、ブラシユニット３０の他端には、空気取り入れ用の図示せぬ開口が設けられている。また、空気調和機本体１０には、ブラシユニット３０が待機位置に移動した時にユニット固定配管６１に連結する連結配管６５が設けられており、この連結配管６５とユニット固定配管６１とによって、ブラシユニット３０と集塵ユニット５０とを連結する連結機構７０が構成されている。
より具体的には、このユニット固定配管６１の途中には、円板状のリブ６２が設けられると共に、このリブ６２の下面にラバー等の弾性材料をリング状に形成した隙間埋め材が取り付けられており、ユニット固定配管６１の下端が連結配管６５内に挿入されると、リブ６２が隙間埋め材を介して連結配管６５に当接して連結配管６５との隙間が閉塞される。そして、この連結配管６５に配管６６を介して集塵ユニット５０が連結されている。
【００２４】
図１１は集塵ユニット５０の内部構造を周辺構成と共に示す側断面図であり、図１２は集塵ユニット５０を示す斜視図である。集塵ユニット５０は、空気調和機本体１０の一方側に配置され、本構成では、空気調和機本体１０の左側部分で熱交換器１３の側方空間に配置されている。
集塵ユニット５０は、上端に連結配管６５がつながる空気取入口５０ａが設けられ、この空気取入口５０ａから下方に延出する上流ダクト５１と、この上流ダクト５１の下端に連通して空気調和機本体１０の下面側に向けて開閉可能な蓋５２ａで閉じられた袋収納部５２と、この袋収納部５２内に連通して略上方へ延びる下流ダクト５３とを備えており、この下流ダクト５３は、室内空気を外部に排気自在な換気機構の一部を構成する空気排出用送風機５４に連結される。
なお、この換気機構は、その他に、室外空気を吸込自在な空気吸込用送風機（図示略）を備え、この空気吸込用送風機により室外空気を室内に吸い込むと共に、空気排出用送風機５４により室内空気を室外に排出することによって換気を行うものである。
【００２５】
袋収納部５２には、塵埃収納袋５５が着脱自在に取り付けられており、この塵埃収納袋５５の開口は上流ダクト５１内に連通した状態で取り付けられる。この塵埃収納袋５５は、塵埃を通過させず空気のみを通過させるフィルタシートを基本構成部材とし、使用前には折り畳まれ、空気排出用送風機５４の運転中に風圧により広がるように形成されている。
このため、空気排出用送風機５４が運転すると、ブラシユニット３０内に溜められた塵埃が空気と共に上流ダクト５１に吸い込まれ、塵埃収納袋５５内に流入し、この塵埃収納袋５５ではフィルタシートにより塵埃が補足され、空気のみが通過して下流ダクト５３を流れ、空気排出用送風機５４の空気排出口５４ａから排出され、この空気排出口５４ａに接続された図示せぬ配管を介して屋外へ排出される。
【００２６】
上記袋収納部５２の蓋５２ａには取っ手５２ｂが設けられ、この取っ手５２ｂを持って蓋５２ａを開けると、塵埃収納袋５５が空気調和機本体１０の下面側に向けて引き出し可能となるため、塵埃が塵埃収納袋５５に溜まった場合に取っ手５２ｂを下方へ引っ張ることによって蓋５２ａを開け、塵埃収納袋５５を容易に取り出すことができる。したがって、この塵埃の溜まった塵埃収納袋５５を捨てることで塵埃を容易に処分することができ、また、塵埃収納袋５５の交換も容易である。
【００２７】
以上説明したように、本実施の形態によれば、集塵ユニット５０の動作時にブラシユニット３０の回転ブラシ３１が露出するブラシ用開口３３ａを閉塞する閉塞機構３８を設けたので、ブラシユニット３０の一端側のユニット固定配管６１側及び他端側の空気取り入れ用の開口を除いてほぼ密閉することができる。このため、集塵ユニット５０が動作した場合にブラシユニット３０の他端側から一端側に向かって吸込空気を効率よく流すことができ、ブラシユニット３０内の塵埃を効率よく集塵することができる。
また、ブラシユニット３０が待機位置に至った場合にだけ集塵ユニット５０を動作させるので、吸込フィルタ掃除中に吸込を行う従来のものに比して、動作音を小さくすることができる。
また、本構成では、ブラシユニット３０が待機位置に至った時にブラシユニット３０内の塵埃を集塵可能にブラシユニット３０と集塵ユニット５０とを連結する連結機構７０を設けているので、ブラシユニット３０と集塵ユニット５０とを常時連結しない分、常時連結用の配管部品を省略でき、全体の小型化及び部品点数低減が可能になり、かつ、ブラシユニット３０の駆動機構４０に係る負担を小さくすることができる。
【００２８】
また、本構成では、集塵ユニット５０がブラシユニット３０内の塵埃を塵埃収納袋５５内に送るので、集塵ユニットに着脱自在な集塵ボックスを設けるものに比して、簡易な構成で集塵した塵埃を外部に取り出すことが可能になる。また、塵埃収納袋５５を空気調和機本体１０下面に開口する袋収納部５２に配置したので、高所に配置される空気調和機本体１０から塵埃収納袋５５を容易に取り出すことができる。また、この集塵ユニット５０が換気機構に連結され、この換気機構の空気排出用送風機５４を用いて塵埃を集塵するので、集塵用送風機を別途設ける必要がなく、送風機を共用する分、部品点数の削減が可能である。
【００２９】
＜第２実施形態＞
図１３乃至図１５は第２実施形態を示す。この第２実施形態に係る壁掛け型空気調和装置１は、吸込フィルタ２２に付着した塵埃を自動的に除去する掃除機構が、ベルト式の駆動機構１４０で構成されている。以下、第１実施形態と同様の部分は同一の符号を付して説明を省略し、異なる部分を詳細に説明する。
この空気調和装置１の空気調和機本体１０は、図１３及び図１４に示すように、前ケース１１の前面１１ａと天面１１ｂとの間のコーナ部１１ｃが直線に沿った傾斜面とされ、この前面１１ａ及び天面１１ｂに左右一対の吸込口２１が各々形成され、上下左右に４分割された４つの吸込口２１が形成されている。これら吸込口２１には、各々吸込フィルタ２２が取り付けられ、これら吸込フィルタ２２によって吸込口２１を通る室内空気中の塵埃が補足される。
【００３０】
図１５はベルト駆動式の駆動機構１４０を周辺構成と共に示す側断面図である。
この駆動機構１４０は、空気調和機本体１０の吸込フィルタ２２両側に配置されており（図１３及び図１４参照）、図１５に示すように、空気調和機本体１０の前面１１ａ下部及び天面１１ｂ後部に回転自在に設けられた一対の従動車１４１、１４２と、これら一対の従動車１４１、１４２間に巻回された無端状のタイミングベルト（歯付ベルト）１４３と、タイミングベルト１４３を駆動する駆動部１４４とを備えている。
【００３１】
詳述すると、空気調和機本体１０には、一対の従動車１４１、１４２間に、空気調和機本体覆い面２０に沿って延びる外側ベルトガイド（ガイド部材）１５１と、この外側ベルトガイド１５１に沿って内側に延びる内側ベルトガイド（ガイド部材）１５２とが設けられており、タイミングベルト１４３の外側ベルト部分１４３ａが外側ベルトガイド１５１で案内されると共に、内側ベルト部分１４３ｂが内側ベルトガイド１５２で案内され、これによって、タイミングベルト１４３が空気調和機本体覆い面２０（図１４に示す前面１１ａ、コーナ部１１ｃ及び天面１１ｂ）に沿った経路で配置され、ベルト駆動されるブラシユニット３０の回転ブラシ３１を前面１１ａから天面１１ｂに渡って均等かつ適切に押し付けることができる。
【００３２】
また、この内側ベルトガイド１５２には、空気調和機本体１０の上側コーナ部に相当する部分が開口し、この開口の上下に設けられた円筒ガイド１５２ａ、１５２ｂに沿って内側ベルト部分１４３ｂが空気調和機本体１０内側に引き込まれ、この引き込まれたベルト部分が、駆動部１４４の一部を構成する駆動車１４５に巻回される。
駆動部１４４は、空気調和機本体１０の側方空間（熱交換器１３の側方空間）に配置され、上記した駆動車１４５と、この駆動車１４５にギア連結された変速車１４６と、変速車１４６を回転駆動するベルト駆動用モータ１４７とを備えて構成される。ベルト駆動用モータ１４７が駆動された場合、このベルト駆動用モータ１４７の回転数が変速車１４６で減速されて駆動車１４５を回転駆動し、タイミングベルト１４３を所定の移動速度でベルト駆動し、このタイミングベルト１４３に連結されたブラシユニット３０が上下動される。
このように、本構成では、タイミングベルト１４３を駆動する駆動部１４４が空気調和機本体１０のコーナ部の内側に配置されるので、空気調和機本体１０の前後長及び高さの増大を回避しつつベルト駆動用モータ１４７等をレイアウトすることができる。
【００３３】
ブラシユニット３０は、図１５に示すように、空気調和機本体１０の幅方向に延在するユニットケース３２を備え、このユニットケース３２内に、回転ブラシ３１が回転自在に支持され、この回転ブラシ３１の軸３１ａがユニットケース３２内の変速車１６１にギア連結され、この変速車１６１がユニットケース３２に支持されたブラシ駆動用モータ１６２によって回転駆動される。すなわち、回転ブラシ３１が専用のブラシ駆動用モータ１６２によって回転駆動され、ブラシユニット３０が駆動部１４４によって上方向或いは下方向のいずれに駆動されている場合でも、回転ブラシ３１を同一方向及び速度で回転駆動することができ、また、その回転方向及び速度の切換も可能である。
【００３４】
ユニットケース３２の一端には、当該ケース３２内から空気調和機本体１０側に延出した後に下方に延びる屈曲管であるユニット固定配管１６４が設けられており、ユニットケース３２の他端には、空気取り入れ用の図示せぬ開口が設けられている。また、空気調和機本体１０には、ブラシユニット３０が待機位置に移動した時にユニット固定配管１６４に連結すると共に集塵ユニット５０（第１実施形態と同様）につながる連結配管１６５が設けられており、この連結配管１６５とユニット固定配管６１とによって、ブラシユニット３０と集塵ユニット５０とを連結する連結機構１７０が構成されている。
【００３５】
このため、ブラシユニット３０が待機位置に移動するとユニットケース３２内と集塵ユニット５０とが連通し、集塵ユニット５０の運転によりユニットケース３２内の塵埃を集塵することができ、集塵ユニット５０内の塵埃収納袋５５に塵埃を集めることができる等の第１実施形態と同様の各種効果を奏することができる。また、この実施形態では、ユニット固定配管１６４がユニットケース３２の空気調和機本体１０側に設けられ、このユニット固定配管１６４が連結する連結配管１６５が空気調和機本体１０内に設けられるので、これらが外観に露出するのを回避することができる。
【００３６】
以上、本発明の一実施形態について説明したが、本発明はこれに限定されるものではなく、種々の変更実施が可能である。例えば、上述の実施形態では、集塵ユニット５０を換気機構に連結し、この換気機構の空気排出用送風機５４を用いて塵埃を集塵する場合について説明したが、これに限らず、換気機構を備えない空気調和装置１の場合は集塵専用の送風機を設けるようにしてもよい。
【図面の簡単な説明】
【００３７】
【図１】第１実施形態に係る壁掛け型空気調和装置の正面図である。
【図２】空気調和装置（空気調和機本体）の斜視図である。
【図３】空気調和装置（空気調和機本体）の内部構成を示す側断面図である。
【図４】ブラシユニットが待機位置から上方に移動した状態を示す図である。
【図５】ギア駆動式の駆動機構４０を周辺構成と共に示す側断面図である。
【図６】ケース蓋を取り外した空気調和機本体の正面図である。
【図７】ブラシユニットを取り外した空気調和機本体の正面図である。
【図８】待機位置にあるブラシユニットを周辺構成と共に示す側断面図である。
【図９】ブラシユニットが待機位置にない場合の待機位置周辺構成を示す側断面図である。
【図１０】回転ブラシに付着した塵埃を剥離する構成を示す図である。
【図１１】集塵ユニットの内部構造を周辺構成と共に示す側断面図である。
【図１２】集塵ユニットを示す斜視図である。
【図１３】第２実施形態に係る壁掛け型空気調和装置の正面図である。
【図１４】空気調和装置（空気調和機本体）の斜視図である。
【図１５】ベルト駆動式の駆動機構を周辺構成と共に示す側断面図である。
【符号の説明】
【００３８】
１  空気調和装置
１０  空気調和機本体
１１ａ  前面
１１ｂ  天面
１１ｃ  コーナ部
１３  熱交換器
１４  送風機
２１  吸込口
２２  吸込フィルタ
３０  掃除用ブラシユニット
３１  回転ブラシ
３２  ユニットケース
３３ａ  ブラシ用開口
３５  塵埃収容室
３６  塵埃剥離板（塵埃剥離部材）
３８  閉塞機構
３８ａ  閉塞カバー（閉塞部）
３８ｂ  付勢部材
４０、１４０  駆動機構
４１  ラック
４２  駆動部
４３  ピニオン
４４  ピニオン駆動用モータ
５０  集塵ユニット
５２  袋収納部
５４  空気排出用送風機
５５  塵埃収納袋
６１、１６４  ユニット固定配管
６５、１６５  連結配管
７０、１７０  連結機構
１４３  タイミングベルト
１４７  ベルト駆動用モータ
１５１  外側ベルトガイド（ガイド部材）
１５２  内側ベルトガイド（ガイド部材）
１６２  ブラシ駆動用モータ
【図１】
0005216289.tif 000002
【図２】
0005216289.tif 000003
【図３】
0005216289.tif 000004
【図４】
0005216289.tif 000005
【図５】
0005216289.tif 000006
【図６】
0005216289.tif 000007
【図７】
0005216289.tif 000008
【図８】
0005216289.tif 000009
【図９】
0005216289.tif 000010
【図１０】
0005216289.tif 000011
【図１１】
0005216289.tif 000012
【図１２】
0005216289.tif 000013
【図１３】
0005216289.tif 000014
【図１４】
0005216289.tif 000015
【図１５】
0005216289.tif 000016